(57)【要約】【課題】外観の特殊性やデザイン性を向上させ、美的価値の高いアクセサリを提供する。【解決手段】指に装着可能な装着部３と、装着部３から突設された軸部５と、軸部５の軸方向に積層されるとともに、互いに相対回転可能に軸部５に支持された複数の装飾部７Ａ〜７Ｄと、を備え、複数の装飾部７Ａ〜７Ｄのうち、軸方向から見た平面視において、装飾部７Ａ〜７Ｄの中心に対して偏心した位置には、軸部５が挿通される偏心孔７７が形成され、複数の装飾部７Ａ〜７Ｄは、互いに重さの異なる錘部７３を有している。【選択図】図２
2018029916.tif 000002
【特許請求の範囲】
【請求項１】
人体に装着可能な装着部と、
前記装着部から突設された軸部と、
前記軸部の軸方向に積層されるとともに、互いに相対回転可能に前記軸部に支持された複数の装飾部と、を備え、
複数の前記装飾部のうち、前記軸方向から見た平面視において、前記装飾部の中心に対して偏心した位置には、前記軸部が挿通される偏心孔が形成され、
複数の前記装飾部は、互いに重さの異なる錘部を有していることを特徴とするアクセサリ。
【請求項２】
複数の前記装飾部の前記偏心孔の内周面と、前記軸部の外周面と、の間には転がり軸受がそれぞれ介在し、
前記転がり軸受の外輪は、複数の前記装飾部の前記偏心孔内にそれぞれ嵌合され、
前記転がり軸受の内輪は、前記外輪に回転可能に内挿されるとともに、前記軸部に外嵌され、
軸方向で隣り合う前記装飾部同士は、前記軸方向に隙間をあけた状態で、前記軸部に支持されていることを特徴とする請求項１に記載のアクセサリ。
【請求項３】
前記軸部のうち、前記軸方向で隣り合う前記装飾部の間には、隣り合う前記装飾部の前記軸方向の移動を規制するスペーサが外挿されていることを特徴とする請求項１又は請求項２に記載のアクセサリ。
【請求項４】
複数の前記装飾部は、前記装着部側に位置するものほど前記軸方向から見た平面視外形が大きいことを特徴とする請求項１から請求項３の何れか１項に記載のアクセサリ。
【請求項５】
複数の前記装飾部は、互いに相似形状に形成されるとともに、複数の前記装飾部の外周面が滑らかに連なって形成されていることを特徴とする請求項４に記載のアクセサリ。
【請求項６】
前記装着部は、前記人体の指に装着可能に形成されていることを特徴とする請求項１から請求項５の何れか１項に記載のアクセサリ。
【発明の詳細な説明】
【技術分野】
【０００１】
本発明は、アクセサリに関する。
【背景技術】
【０００２】
指輪等のアクセサリにおいては、外観に特殊性やデザイン性をもたせることで、美的価値が高められている。例えば、下記特許文献１には、複数の弧状片を組み合わせて指輪を環状に形成する構成が開示されている。この構成によれば、例えば各弧状片の部材や色彩等を任意に異ならせることで、美的価値を高めるとされている。
【先行技術文献】
【特許文献】
【０００３】
【特許文献１】特開２０１３−１７６１８号公報
【発明の概要】
【発明が解決しようとする課題】
【０００４】
しかしながら、上述した特許文献１の指輪にあっては、装着前に弧状片の組み合わせにより外観を変更できるものの、装着後に外観が変化することはない。そのため、外観の特殊性やデザイン性の向上には未だ改善の余地があった。
【０００５】
本発明は、上述した事情に鑑みなされたものであり、外観の特殊性やデザイン性を向上させ、美的価値の高いアクセサリを提供することを目的とする。
【課題を解決するための手段】
【０００６】
上記課題を解決するために、本発明は以下の態様を採用した。
本発明の一態様に係るアクセサリは、人体に装着可能な装着部と、前記装着部から突設された軸部と、前記軸部の軸方向に積層されるとともに、互いに相対回転可能に前記軸部に支持された複数の装飾部と、を備え、複数の前記装飾部のうち、前記軸方向から見た平面視において、前記装飾部の中心に対して偏心した位置には、前記軸部が挿通される偏心孔が形成され、複数の前記装飾部は、互いに重さの異なる錘部を有している。
【０００７】
本態様によれば、アクセサリを人体に装着した状態で、人体が移動すると、軸部の径方向の動きに伴って装飾部が軸部回りに互いに相対回転する。このとき、各装飾部において、錘部の重さが異なっているため、各装飾部に作用する慣性の大きさが異なる。そのため、各装飾部は、慣性の小さいもの（重さの軽いもの）から順に回転し始める。これにより、各装飾部の回転タイミングがずれることで、各装飾部が様々な方向に広がりながら回転する。これにより、アクセサリの外観が、人体の動きに伴って常に変化することになる。
よって、外観の特殊性やデザイン性を向上させ、美的価値の高いアクセサリを提供できる。
【０００８】
上記態様において、複数の前記装飾部の前記偏心孔の内周面と、前記軸部の外周面と、の間には転がり軸受がそれぞれ介在し、前記転がり軸受の外輪は、複数の前記装飾部の前記偏心孔内にそれぞれ嵌合され、前記転がり軸受の内輪は、前記外輪に回転可能に内挿されるとともに、前記軸部に外嵌され、軸方向で隣り合う前記装飾部同士は、前記軸方向に隙間をあけた状態で、前記軸部に支持されていてもよい。
本態様によれば、各装飾部同士の干渉を抑制した上で、各装飾部がスムーズに回転することになる。これにより、アクセサリの外観がスムーズに変化するため、アクセサリの美的価値を更に高めることができる。
【０００９】
上記態様において、前記軸部のうち、前記軸方向で隣り合う前記装飾部の間には、隣り合う前記装飾部の前記軸方向の移動を規制するスペーサが外挿されていてもよい。
本態様によれば、各装飾部の軸方向の移動を規制し、各装飾部間の隙間を確実に維持し易くなる。
【００１０】
上記態様において、複数の前記装飾部は、前記装着部側に位置するものほど前記軸方向から見た平面視外形が大きくてもよい。
本態様によれば、各装飾部の平面視外形が、装着部側に位置するものほど大きくなっているため、アクセサリの向きに関わらず各装飾部の少なくとも一部が軸方向から視認できる。よって、美的価値の更なる向上を図ることができる。
また、各装飾部の平面視外形をそれぞれ異ならせることで、各装飾部の軸方向における厚さを同等に形成した場合であっても、各装飾部の重さを容易に異ならせることができる。
【００１１】
上記態様において、複数の前記装飾部は、互いに相似形状に形成されるとともに、複数の前記装飾部の外周面が滑らかに連なって形成されていてもよい。
本態様によれば、アクセサリ全体の統一感を出すことができる。
【００１２】
上記態様において、前記装着部は、前記人体の指に装着可能に形成されていてもよい。
本態様によれば、指や手、腕等の動きに伴ってアクセサリの外観が変化することになる。これにより、美的価値の高い指輪を提供できる。
【発明の効果】
【００１３】
本発明の一態様によれば、外観の特殊性やデザイン性を向上させ、美的価値の高いアクセサリを提供できる。
【図面の簡単な説明】
【００１４】
【図１】第１実施形態に係る指輪の斜視図である。
【図２】第１実施形態に係る指輪の分解斜視図である。
【図３】第１実施形態に係る指輪の縦断面図である。
【図４】第１実施形態に係る指輪の外観が変化する状態を示す平面図である。
【図５】第２実施形態に係る指輪の斜視図である。
【図６】第３実施形態に係る指輪の縦断面図である。
【図７】各実施形態の変形例に係る指輪の平面図である。
【図８】各実施形態の変形例に係る指輪の平面図である。
【発明を実施するための形態】
【００１５】
次に、本発明の実施形態を図面に基づいて説明する。なお、以下の説明では、各実施形態や変形例において、同等又は類似の構成に同一の符号を付すとともに、説明を省略する場合がある。
【００１６】
［第１実施形態］
図１は、第１実施形態に係る指輪１の斜視図である。図２は、第１実施形態に係る指輪１の分解斜視図である。
図１、図２に示すように、指輪１は、装着部３と、軸部５と、複数の装飾部７Ａ〜７Ｄと、を備えている。
【００１７】
図２に示すように、装着部３は、例えば貴金属（金や銀、白金等）等により形成されている。装着部３は、装着部本体３１と、台座３３と、を備えている。
装着部本体３１は、人体の指に装着可能に形成されている。具体的に、装着部本体３１は、リング状に形成されている。但し、装着部本体３１は、指に装着可能な構成であれば、リング状に限らず、円弧状（Ｃ字状）等であっても構わない。
【００１８】
台座３３は、装着部本体３１の一部に接続されている。台座３３は、装着部本体３１の径方向を厚さ方向とする円板状に形成されている。なお、台座３３の平面視外形は、円形状に限らず、矩形状等、適宜変更が可能である。
【００１９】
図３は、指輪１の縦断面図である。以下の説明では、軸部５の軸方向を単に軸方向Ｏといい、軸方向Ｏのうち台座３３に対して装着部本体３１に接近する方向を下側、台座３３に対して装着部本体３１から離間する方向を上側という場合がある。
図２、図３に示すように、軸部５は、台座３３の表面から上方に突設されている。具体的に、台座３３のうち、台座３３の中心（重心）に対して偏心した位置には、装着部本体３１から離間する方向に突出するボス部３５が形成されている。ボス部３５及び台座３３には、ボス部３５及び台座３３を貫通する取付孔３４が形成されている。軸部５は、取付孔３４内に嵌合等されることで、台座３３に取り付けられている。なお、台座３３に対する軸部５の偏心量は、適宜変更が可能である。
【００２０】
複数の装飾部７Ａ〜７Ｄは、例えば貴金属により形成されている。各装飾部７Ａ〜７Ｄは、軸方向Ｏに積層された状態で、互いに相対回転可能に軸部５にそれぞれ支持されている。
【００２１】
各装飾部７Ａ〜７Ｄは、軸方向Ｏから見た平面視外形がそれぞれ円形状に形成されている。本実施形態において、各装飾部７Ａ〜７Ｄの平面視外形は、互いに相似形状に形成されるとともに、下方に位置するものほど外形が大きくなっている。
【００２２】
各装飾部７Ａ〜７Ｄは、ベース部７１と、ベース部７１の外周部分に形成された錘部７３と、をそれぞれ有している。
ベース部７１は、円板形状に形成されている。ベース部７１のうち、中心（重心）に対して偏心した位置には、ベース部７１を軸方向Ｏに貫通する偏心孔７７が形成されている。各装飾部７Ａ〜７Ｄにおいて、ベース部７１の中心に対する偏心量は同等になっている。したがって、各装飾部７Ａ〜７Ｄの偏心孔７７は、軸方向Ｏから見て重なりあっている。
【００２３】
錘部７３は、ベース部７１の外周縁から下方に突出している。錘部７３は、ベース部７１の全周に亘って連続的に延在している。この場合、錘部７３の重さは、下方に位置する装飾部７Ａ〜７Ｄほど重くなっている。なお、錘部７３は、下方に位置する装飾部７Ａ〜７Ｄほど重くなる構成であれば、任意の位置に形成することが可能である。
【００２４】
また、軸方向Ｏで隣り合う装飾部７Ａ〜７Ｄ同士、及び台座３３の外周面は、滑らかに連なっている。本実施形態において、各装飾部７Ａ〜７Ｄの外周面は、軸方向Ｏに直交する径方向の外側に向けて膨出する湾曲面に形成されている。
【００２５】
図３に示すように、各装飾部７Ａ〜７Ｄの偏心孔７７の内周面と、軸部５の外周面と、の間には、転がり軸受１１Ａ〜１１Ｄがそれぞれ介在している。転がり軸受１１Ａ〜１１Ｄの外輪１３は、各装飾部７Ａ〜７Ｄの偏心孔７７内にそれぞれ嵌合されている。転がり軸受１１Ａ〜１１Ｄの内輪１５は、外輪１３の内側に転動体１７を介して回転可能に配置されている。内輪１５は、軸部５に外嵌されている。
【００２６】
軸部５のうち、軸方向Ｏで隣り合う転がり軸受１１Ａ〜１１Ｄ同士の間には、スペーサ２１が外挿されている。スペーサ２１は、筒状に形成されている。スペーサ２１は、隣り合う転がり軸受１１Ａ〜１１Ｄの間において、隣り合う転がり軸受１１Ａ〜１１Ｄの内輪１５に軸方向Ｏで挟持されている。これにより、各装飾部７Ａ〜７Ｄは、軸方向Ｏで隙間Ｓ１をあけた状態で、軸方向Ｏの移動が規制されている。
また、各転がり軸受１１Ａ〜１１Ｄのうち、最も下方に位置する転がり軸受１１Ｄの内輪１５は、上述したボス部３５に上方から当接している。これにより、装飾部７Ｄと台座３３との間には、隙間Ｓ２が形成されている。
【００２７】
軸部５の上端部には、抜け止め部２５が取り付けられている。具体的に、抜け止め部２５の下面のうち、複数の装飾部７Ａ〜７Ｄの偏心孔７７と軸方向Ｏで対向する位置には、下方に延びる嵌合筒２７が形成されている。嵌合筒２７内には、軸部５の上端部が嵌合されている。嵌合筒２７の下端面は、上述した転がり軸受１１Ａの内輪１５に上方から当接している。これにより、抜け止め部２５は、装飾部７Ａとの間に隙間Ｓ３をあけた状態で、各装飾部７Ａ〜７Ｄ及び転がり軸受１１Ａ〜１１Ｄの軸部５からの抜け止めを行っている。
【００２８】
抜け止め部２５は、上方に膨出するドーム状に形成されている。抜け止め部２５における平面視外形は、装飾部７Ａに対して一回り小さく形成されている。本実施形態において、抜け止め部２５の外周面は、各装飾部７Ａ〜７Ｄの外周面に滑らかに連なっている。したがって、抜け止め部２５、各装飾部７Ａ〜７Ｄ及び台座３３は、全体で半球形状に形成されている。
【００２９】
次に、上述した指輪１の作用を説明する。図４は、指輪１の外観が変化する状態を示す平面図である。
図４（ａ）〜（ｄ）に示すように、指輪１を指に装着した状態で、例えば指や手、腕等を動かすと、軸部５の径方向の動きに伴って装飾部７Ａ〜７Ｄが軸部５回りに互いに相対回転する。このとき、本実施形態では、各装飾部７Ａ〜７Ｄにおいて、錘部７３の重さが異なっているため、各装飾部７Ａ〜７Ｄに作用する慣性の大きさが異なる。そのため、各装飾部７Ａ〜７Ｄは、慣性の小さいもの（重さの軽いもの）から順に回転し始める。本実施形態では、各装飾部７Ａ〜７Ｄは、下方に位置するものほど重くなっていることから、下方に位置するものほど慣性が大きくなる。そのため、各装飾部７Ａ〜７Ｄは、上方に位置するものから順に回転し始める。これにより、各装飾部７Ａ〜７Ｄの回転タイミングがずれることで、各装飾部７Ａ〜７Ｄが様々な方向に広がりながら回転する。これにより、指輪１の外観が、人体の動きに伴って常に変化することになる。
【００３０】
このように、本実施形態では、互いに重さの異なる装飾部７Ａ〜７Ｄが、偏心した位置で互いに相対回転可能に構成されているため、人体の動き等に伴って指輪１の外観が常に変化することになる。よって、外観の特殊性やデザイン性を向上させ、美的価値の高い指輪１を提供できる。
【００３１】
本実施形態では、各装飾部７Ａ〜７Ｄが軸方向Ｏに隙間Ｓ１をあけた状態で、転がり軸受１１Ａ〜１１Ｄを介して軸部５に回転可能に支持される構成とした。
この構成によれば、各装飾部７Ａ〜７Ｄ同士の干渉を抑制した上で、各装飾部７Ａ〜７Ｄがスムーズに回転することになる。これにより、指輪１の外観がスムーズに変化するため、指輪１の美的価値を更に高めることができる。
【００３２】
本実施形態では、軸部５のうち、軸方向Ｏで隣り合う装飾部７Ａ〜７Ｄ同士の間にスペーサ２１が外挿されている構成とした。
この構成によれば、各装飾部７Ａ〜７Ｄの軸方向Ｏの移動を規制し、各装飾部７Ａ〜７Ｄ間の隙間Ｓ１を確実に維持し易くなる。
【００３３】
本実施形態では、各装飾部７Ａ〜７Ｄの平面視外形が、下方に位置するものほど大きくなっているため、指輪１の向きに関わらず各装飾部７Ａ〜７Ｄの少なくとも一部が軸方向Ｏから視認できる。よって、美的価値の更なる向上を図ることができる。
また、各装飾部７Ａ〜７Ｄの平面視外形をそれぞれ異ならせることで、各装飾部７Ａ〜７Ｄの厚さを同等に形成した場合であっても、各装飾部７Ａ〜７Ｄの重さを容易に異ならせることができる。
【００３４】
本実施形態では、各装飾部７Ａ〜７Ｄが互いに相似形状に形成されるとともに、外周面同士が滑らかに連なっているため、指輪１全体の統一感を出すことができる。
【００３５】
本実施形態では、台座３３に形成されたボス部３５に軸部５が取り付けられているため、軸部５の基端部分を補強できる。これにより、軸部５の変形等を抑制し、装飾部７Ａ〜７Ｄを長期に亘って安定して回転させることができる。
【００３６】
本実施形態では、装着部３（装着部本体３１）が指に装着可能に形成されているため、指や手、腕等の動きに伴って指輪１の外観が変化することになる。これにより、美的価値の高い指輪１を提供できる。
【００３７】
［第２実施形態］
図５は、第２実施形態に係る指輪１０１の斜視図である。本実施形態では、指輪１に宝石１８０，１８５ａ，１８５ｂが取り付けられている点で、上述した実施形態と相違している。
具体的に、図５に示す指輪１０１において、装飾部１０７Ａ〜１０７Ｄの外周面には、宝石取付穴１８２が形成されている。宝石取付穴１８２は、装飾部１０７Ａ〜１０７Ｄの外周面において、間隔をあけて複数形成されている。各宝石取付穴１８２内には、宝石１８０が嵌め込まれている。
【００３８】
また、抜け止め部１２５には、中心取付穴１８３ａ及び外周取付穴１８３ｂが形成されている。中心取付穴１８３ａは、抜け止め部１２５の中心に形成されている。外周取付穴１８３ｂは、中心取付穴１８３ａの周囲に間隔をあけて複数形成されている。各取付穴１８３ａ，１８３ｂには、それぞれ宝石１８５ａ，１８５ｂが嵌め込まれている。
【００３９】
本実施形態では、各取付穴１８２，１８３ａ，１８３ｂに宝石１８０，１８５ａ，１８５ｂが嵌め込まれているので、指輪１の美的外観をより向上させることができる。なお、宝石のレイアウトは、適宜変更が可能である。すなわち、軸方向で隣り合う装飾部１０７Ａ〜１０７Ｄ同士が干渉しないレイアウトであれば、各装飾部１０７Ａ〜１０７Ｄの任意の位置（外周面や上面等）に宝石を取り付けることが可能である。また、各装飾部１０７Ａ〜１０７Ｄ及び抜け止め部１２５のうち、何れかのみに宝石を取り付けても構わない。
【００４０】
［第３実施形態］
図６は、本発明の第３実施形態に係る指輪２０１の縦断面図である。本実施形態の指輪２００では、各装飾部２０７Ａ〜２０７Ｄ及び抜け止め部２２５の平面視外形を同等の外形に形成した点で、上述した実施形態と相違している。
具体的に、図６に示す指輪２０１において、各装飾部２０７Ａ〜２０７Ｄは、ベース部２７１の平面視外形が同等の大きさに形成されている。本実施形態において、各ベース部２７１は、平面視で円形状に形成されている。
【００４１】
一方、各装飾部２０７Ａ〜２０７Ｄの錘部２７３は、互いに重さが異なっている。本実施形態では、各装飾部２０７Ａ〜２０７Ｄにおいて、錘部２７３の幅（軸方向Ｏに直交する径方向での幅）を互いに異ならせている。錘部２７３は、下方に位置する装飾部２０７Ａ〜２０７Ｄほど重さが重くなっている。
【００４２】
抜け止め部２２５の平面視外形は、各装飾部２０７Ａ〜２０７Ｄの平面視外形と同等の大きさに形成されている。
【００４３】
本実施形態のように、各装飾部２０７Ａ〜２０７Ｄの平面視外形を同等にした場合においても、錘部２７３の重さを互いに異ならせることで、上述した実施形態と同様の作用効果を奏する。
【００４４】
以上、図面を参照して、本発明の実施形態を詳述してきたが、本発明の技術範囲は、上述した各実施形態に限定されるものではなく、本発明の趣旨を逸脱しない範囲において、上述した実施形態に種々の変更を加えたものを含む。
例えば、上述した実施形態では、装飾部の平面視外形を円形状としたが、この構成のみに限らず、種々の外形を採用することが可能である。
例えば、図７に示す指輪３０１では、各装飾部３０７が、矩形状の枠部３７１と、枠部３７１の内側に配置されたハブ部３７３と、ハブ部３７３と枠部３７１とを連結するスポーク部３７５と、を備えている。ハブ部３７３は、枠部３７１の中心から偏心した位置に配置されている。ハブ部３７３には、軸部５が挿通される偏心孔３７７が形成されている。なお、図７の構成では、隣り合う装飾部３０７の外形が上方に位置するものほど小さくなっているので、各装飾部３０７全体の側面視形状が階段状に形成される。
【００４５】
図８に示す指輪４０１では、各装飾部４０７の枠部４７１が長円形状（涙形状）に形成されている。枠部４７１は、スポーク部４７５を介してハブ部４７３に連結されている。ハブ部４７３は、装飾部４０７の重心に対して偏心した位置に配置されている。ハブ部４７３には、軸部５が挿通される偏心孔４７７が形成されている。なお、図７や図８の構成についても、軸方向で隣り合う装飾部同士が干渉しないレイアウトであれば、各装飾部の任意の位置（外周面や上面等）に宝石を取り付けても構わない。
その他、装飾部の平面視形状は、三角形状や月形、星形等、適宜変更が可能である。
【００４６】
上述した実施形態では、本発明のアクセサリを指輪に適用した場合について説明したが、指輪以外のアクセサリ（例えば、腕輪やネックレス等）に適用することもできる。
上述した実施形態では、装着部や装飾部を貴金属により形成する構成について説明したが、この構成のみに限らず、樹脂材料等の種々の材料により形成することが可能である。
【００４７】
上述した実施形態では、転がり軸受１１Ａ〜１１Ｄ及びスペーサ２１の双方を備えたものとしたが、何れか一方のみを備えてもよい。また、転がり軸受１１Ａ〜１１Ｄ及びスペーサ２１の双方を備えない構成（装飾部が軸部５に直接支持される構成）であってもよい。
上述した実施形態では、装飾部が下方に位置するものほど重い構成について説明したが、この構成のみに限られない。
【００４８】
なお、上述した実施形態では、装飾部や台座、抜け止め部に模様（色彩、刻印、めっき等）を施してもよい。
また、各装飾部をそれぞれ異なる材料で形成しても構わない。
また、装飾部や抜け止め部を軸部５に対して着脱可能に構成しても構わない。この場合、種類の異なる装飾部や抜け止め部を付け替えることで、装着部３を変更せずに指輪１のデザインパターンを変更できる。
【符号の説明】
【００４９】
１，１０１，２０１，３０１，４０１…指輪（アクセサリ）
３…装着部
５…軸部
７Ａ〜７Ｄ，１０７Ａ〜１０７Ｄ，２０７Ａ〜２０７Ｄ，３０７，４０７…装飾部
１１Ａ〜１１Ｄ…転がり軸受
１３…外輪
１５…内輪
２１…スペーサ
７３，２７３…錘部
７７，３７７，４７７…偏心孔
Ｓ１…隙間
【図１】
2018029916.tif 000003
【図２】
2018029916.tif 000004
【図３】
2018029916.tif 000005
【図４】
2018029916.tif 000006
【図５】
2018029916.tif 000007
【図６】
2018029916.tif 000008
【図７】
2018029916.tif 000009
【図８】
2018029916.tif 000010
【手続補正書】
【提出日】平成29年12月27日(2017.12.27)
【手続補正１】
【補正対象書類名】明細書
【補正対象項目名】０００６
【補正方法】変更
【補正の内容】
【０００６】
上記課題を解決するために、本発明は以下の態様を採用した。
本発明の一態様に係るアクセサリは、人体に装着可能な装着部と、前記装着部から突設された軸部と、前記軸部の軸方向に積層されるとともに、互いに相対回転可能に前記軸部に支持された複数の装飾部と、を備え、複数の前記装飾部のうち、前記軸方向から見た平面視において、前記装飾部の中心に対して偏心した位置には、前記軸部が挿通される偏心孔が形成され、複数の前記装飾部は、互いに重さの異なる錘部を有し、複数の前記装飾部は、互いに相似形状に形成されるとともに、複数の前記装飾部の中心が同軸上に配置可能とされ、複数の前記装飾部は、複数の前記装飾部の中心が同軸上に配置された状態で、複数の前記装飾部の外周面が滑らかに連なって形成されている。
【手続補正２】
【補正対象書類名】明細書
【補正対象項目名】０００７
【補正方法】変更
【補正の内容】
【０００７】
本態様によれば、アクセサリを人体に装着した状態で、人体が移動すると、軸部の径方向の動きに伴って装飾部が軸部回りに互いに相対回転する。このとき、各装飾部において、錘部の重さが異なっているため、各装飾部に作用する慣性の大きさが異なる。そのため、各装飾部は、慣性の小さいもの（重さの軽いもの）から順に回転し始める。これにより、各装飾部の回転タイミングがずれることで、各装飾部が様々な方向に広がりながら回転する。これにより、アクセサリの外観が、人体の動きに伴って常に変化することになる。
よって、外観の特殊性やデザイン性を向上させ、美的価値の高いアクセサリを提供できる。
また、アクセサリ全体の統一感を出すことができる。
【手続補正３】
【補正対象書類名】明細書
【補正対象項目名】００１１
【補正方法】変更
【補正の内容】
【００１１】
上記態様において、前記装飾部は、前記軸方向に交差する面内に広がり、前記偏心孔が形成された板状のベース部と、前記ベース部の外周部分に形成された錘部と、を有していてもよい。
【手続補正４】
【補正対象書類名】特許請求の範囲
【補正対象項目名】全文
【補正方法】変更
【補正の内容】
【特許請求の範囲】
【請求項１】
人体に装着可能な装着部と、
前記装着部から突設された軸部と、
前記軸部の軸方向に積層されるとともに、互いに相対回転可能に前記軸部に支持された複数の装飾部と、を備え、
複数の前記装飾部のうち、前記軸方向から見た平面視において、前記装飾部の中心に対して偏心した位置には、前記軸部が挿通される偏心孔が形成され、
複数の前記装飾部は、互いに重さの異なる錘部を有し、
複数の前記装飾部は、互いに相似形状に形成されるとともに、複数の前記装飾部の中心が同軸上に配置可能とされ、
複数の前記装飾部は、複数の前記装飾部の中心が同軸上に配置された状態で、複数の前記装飾部の外周面が滑らかに連なって形成されていることを特徴とするアクセサリ。
【請求項２】
複数の前記装飾部の前記偏心孔の内周面と、前記軸部の外周面と、の間には転がり軸受がそれぞれ介在し、
前記転がり軸受の外輪は、複数の前記装飾部の前記偏心孔内にそれぞれ嵌合され、
前記転がり軸受の内輪は、前記外輪に回転可能に内挿されるとともに、前記軸部に外嵌され、
軸方向で隣り合う前記装飾部同士は、前記軸方向に隙間をあけた状態で、前記軸部に支持されていることを特徴とする請求項１に記載のアクセサリ。
【請求項３】
前記軸部のうち、前記軸方向で隣り合う前記装飾部の間には、隣り合う前記装飾部の前記軸方向の移動を規制するスペーサが外挿されていることを特徴とする請求項１又は請求項２に記載のアクセサリ。
【請求項４】
複数の前記装飾部は、前記装着部側に位置するものほど前記軸方向から見た平面視外形が大きいことを特徴とする請求項１から請求項３の何れか１項に記載のアクセサリ。
【請求項５】
前記装着部は、前記人体の指に装着可能に形成されていることを特徴とする請求項１から請求項４の何れか１項に記載のアクセサリ。
【請求項６】
前記装飾部は、
前記軸方向に交差する面内に広がり、前記偏心孔が形成された板状のベース部と、
前記ベース部の外周部分に形成された錘部と、を有していることを特徴とする請求項１から請求項５の何れか１項に記載のアクセサリ。